(57)【要約】【課題】ランプソケットとランプとの両方の落下防止ができ、かつ、ランプの交換が容易にできるランプソケットの保持治具を提供したい。【解決手段】ランプソケット１２の保持治具５０は、ランプソケット１２の周囲を囲む治具本体１３と、治具本体１３の下部に設けられ、治具本体１３に対してスライド可能に取り付けられた突起部１４とを備えている。ランプソケット１２からランプ２０が取り外す場合に、治具本体１３に対して突起部１４を後退スライドさせる。ランプソケット１２にランプ２０が装着された場合に、ランプ２０の方向に突出するように突起部１４を治具本体１３に対して前進スライドさせる。【選択図】図２
2014157754.tif 000002
【特許請求の範囲】
【請求項１】
ランプソケットの保持治具において、
ランプソケットの周囲を囲む治具本体と、
治具本体の下部に設けられ、治具本体に対してスライド可能に取り付けられた突起部と
を備え、
ランプソケットにランプが装着された場合に、ランプの方向に突出するように前記突起部を治具本体に対して前進スライドさせ、
ランプソケットからランプが着脱される場合に、治具本体に対して突起部を後退スライドさせることを特徴とするランプソケットの保持治具。
【請求項２】
前記突起部は、前記治具本体の下部の一部を切り取った部分に取り付けられた曲面板であることを特徴とする請求項１記載のランプソケットの保持治具。
【請求項３】
前記突起部は、前記治具本体の下部の外曲面又は内曲面に設けられ、
前記突起部は、外曲面又は内曲面に沿ってスライドする曲面板であることを特徴とする請求項１記載のランプソケットの保持治具。
【請求項４】
前記治具本体は、治具本体の上部にひっかけ爪を有し、
前記治具本体は、反射板の切欠きに挿入されて、ひっかけ爪により反射板の切欠きの縁部に固定されることを特徴とする請求項１〜３いずれかに記載のランプソケットの保持治具。
【請求項５】
前記請求項１〜４いずれかに記載のランプソケットの保持治具を備えたことを特徴とする照明器具。
【発明の詳細な説明】
【技術分野】
【０００１】
本発明は、ランプソケットの保持治具に関するものである。本発明は、特に、ランプソケットとランプとの両方の保持治具に関するものである。
【背景技術】
【０００２】
従来から、ランプソケットの落下防止治具、あるいは、ランプの落下防止治具が知られている（例えば、特許文献１〜５）。
【先行技術文献】
【特許文献】
【０００３】
【特許文献１】実開平５−１５３７９号公報
【特許文献２】特開平９−１６１５３４号公報
【特許文献３】特開２０１１−１６５３４０号公報
【特許文献４】特開２０１１−３４９０８号公報
【特許文献５】特開２０１２−４３６２０号公報
【発明の概要】
【発明が解決しようとする課題】
【０００４】
従来のランプソケットの落下防止治具、あるいは、ランプの落下防止治具には、ランプソケットとランプとの両方の落下防止を目的とするものもあるが、ランプの交換が容易にできなかった。
【０００５】
そこで、ランプソケットとランプとの両方の落下防止ができ、かつ、ランプの交換が容易にできるものを提供したい。
【課題を解決するための手段】
【０００６】
この発明のランプソケットの保持治具は、
ランプソケットの周囲を囲む治具本体と、
治具本体の下部に設けられ、治具本体に対してスライド可能に取り付けられた突起部と
を備え、
ランプソケットにランプが装着された場合に、ランプの方向に突出するように前記突起部を治具本体に対して前進スライドさせ、
ランプソケットからランプが着脱される場合に、治具本体に対して突起部を後退スライドさせることを特徴とする。
【発明の効果】
【０００７】
本発明に係る保持治具は、治具本体がランプソケットの落下を防止し、突起部がランプの落下を防止し、突起部がスライドするので、ランプの交換が容易にできる。
【図面の簡単な説明】
【０００８】
【図１】実施の形態１のランプソケットの保持治具５０の正面図。
【図２】実施の形態１のランプソケットの保持治具５０の側面図。
【図３】実施の形態１の保持治具５０と反射板１１とを示す図。
【図４】実施の形態１のスライド構造図。
【図５】実施の形態１の治具本体１３の取り付け手順を示す図。
【図６】実施の形態１のランプ２０の交換手順を示す図。
【図７】実施の形態２のランプソケットの保持治具の正面図。
【図８】実施の形態２のランプソケットの保持治具の側面図。
【図９】実施の形態２のランプソケットの保持治具の正面図。
【図１０】実施の形態２のランプソケットの保持治具の側面図。
【図１１】実施の形態２のスライド構造図。
【図１２】実施の形態３のランプソケットの保持治具の取り付け図。
【図１３】実施の形態４のランプソケットの保持治具の取り付け図。
【図１４】実施の形態５のランプソケットの保持治具の側面図。
【図１５】実施の形態６のランプソケットの保持治具の斜視図。
【図１６】実施の形態７のランプソケットの保持治具のの正面図と斜視図。
【発明を実施するための形態】
【０００９】
実施の形態１．
図１は、ランプソケット１２の保持治具５０の正面図である。
図２は、ランプソケット１２の保持治具５０の側面図である。
ランプソケット１２の保持治具５０は、ランプソケット１２の周囲を囲む治具本体１３を有している。
保持治具５０は、突起部１４を備えている。突起部１４は、治具本体１３の下部に設けられ、治具本体１３に対してスライド可能に取り付けられている。
【００１０】
図１に示すように、保持治具５０の正面形状は、ランプソケット１２の正面外形と同じあるいは相似のＵ字型をしている。保持治具５０は、全体として、ハーフパイプ型をしている。
保持治具５０の正面形状は、ランプソケット１２の正面外形の周囲を囲むものであればよく、矩形状、半円状でもよい。
図２に示すように、保持治具５０の側面形状は、ランプソケット１２の側面幅と同じで上下幅が一定の長方形をしている。治具本体１３と突起部１４との側面幅は同じ幅である。
治具本体１３の側面幅＝突起部１４の側面幅＝Ｗ３
なお、保持治具５０の側面幅は、ランプソケット１２の側面幅と同じ幅でなくてもよい。
また、突起部１４の側面幅は、治具本体１３の側面幅より狭くてもよい。
【００１１】
突起部１４は、治具本体１３の下部を水平に切り取った部分に取り付けられる曲面板である。突起部１４の曲面板の中心はランプ管中心Ｃ（ランプ管の管軸）と同じであり、中心角θは、６０度以上１８０度以下である。中心角θは、ランプの落下を防止できる角度であればよく、地震の揺れを考えると、９０度前後（９０度）であればよい。
【００１２】
保持治具５０は板金で製造される。したがって、保持治具５０は、長期間にわたり、熱による経年変化や劣化がない。
【００１３】
保持治具５０は、治具本体１３の上部に１対のひっかけ爪１５を有している。
治具本体１３は、反射板１１に挿入されて、１対のひっかけ爪１５により反射板１１にひっかけて固定される。この固定は、単なる取り外し可能なひっかけでもよいし、接着剤を用いた固定でもよい。
【００１４】
図２の（ａ）は、突起部１４が、ランプ方向に前進している場合を示している。
図２の（ｂ）は、突起部１４が、ランプ方向から後退している場合を示している。
突起部１４は、前進位置Ｆと後退位置Ｒとの間をスライドする。前進位置Ｆと後退位置Ｒとの距離をスライド間隔Ｗ４とすると、突起部１４がスライドする移動距離は、以下のとおりである。
移動距離＝スライド間隔Ｗ４−突起部１４の側面幅Ｗ３
＝スライド間隔Ｗ４−治具本体１３の側面幅Ｗ３
突起部１４が前進している場合、光線をさえぎることのないように、突起部１４は、ランプ２０の口金２１の途中までを覆うが、ランプ管２２は覆わない。すなわち、前進位置Ｆは、最大で、水平方向に口金２１までであり、口金２１の途中（中央または中央付近）が望ましい。
突起部１４が後退する場合、治具本体１３の後部に照明器具１０の部品や壁面があると突起部１４の後部が衝突する可能性があるので、突起部１４は、治具本体１３よりも後退することがないようにする。後退位置Ｒは、最大で治具本体１３の背面（ランプソケット１２の後部面１６）までであり、治具本体１３と突起部１４とのいかなる部分もランプソケット１２の後部面１６より後ろに存在しないようにすることが望ましい。
【００１５】
ランプソケット１２からランプ２０を着脱する場合に、図２の（ａ）の矢印のように、治具本体１３に対して突起部１４を後退スライドさせる。
ランプソケット１２にランプ２０が装着された場合に、図２の（ｂ）の矢印のように、ランプ２０の方向に突出するように突起部１４を治具本体１３に対して前進スライドさせる。
【００１６】
図３は、反射板１１を示す図である。
反射板１１の端部には、ランプソケット１２を通すための切欠き３１がある。
切欠き３１は、ランプソケット１２を通すための穴であるが、本実施の形態では、保持治具５０の治具本体１３と突起部１４とを通すためにも利用される。切欠き３１の両サイドの１対の縁部３２に保持治具５０のひっかけ爪１５が引っかかり、保持治具５０が反射板１１に固定される。保持治具５０の左右幅は、切欠き３１の切欠き幅Ｗ５と同じである。
保持治具５０の幅＝切欠き幅＝Ｗ５
【００１７】
図１に示すように、従来から、ランプソケット１２の両側には切欠き３１の両サイドの縁部３２との間に隙間３０がある。治具本体１３は、この隙間３０を利用して反射板１１とランプソケット１２との間に嵌め込まれる。
すなわち、図１に示すように、治具本体１３は、ランプソケット１２と切欠き３１との間の隙間３０よりも小さな厚みを有している。
隙間３０の幅Ｗ１＞治具本体１３の厚みＷ２
したがって、反射板１１は、従来の反射板１１をそのまま利用することができる。
なお、反射板１１の形状は、図３の板状のものに限られず、箱型、ハーフパイプ型、ドーム型などの他の形状でもよい。
【００１８】
保持治具５０のひっかけ爪１５のサイド方向の長さＷ６は、隙間３０の幅Ｗ１よりも大きい。
ひっかけ爪１５の長さＷ６＞隙間３０の幅Ｗ１
このため、反射板１１の切欠き３１から保持治具５０が脱落することがない。
【００１９】
図４は、治具本体１３と突起部１４とのスライド構造図である。
図４は、治具本体１３の下部全体を水平に切り取り、切り取った部分に突起部１４を取り付ける場合を示している。
【００２０】
図４の（ａ）は、治具本体１３の下端部を内側に９０度折り曲げてＬ字型にし、突起部１４の両端部は外側に９０度折り曲げてＬ字型にし、図４の（ｅ）のように、水平方向に、突起部１４のＬ字型の折り曲げ部１７を、治具本体１３のＬ字型の折り曲げ部１７の内側に嵌めこんだものである。
【００２１】
図４の（ｂ）は、治具本体１３の下端部を外側に９０度折り曲げてＬ字型にし、突起部１４の両端部は内側に９０度折り曲げてＬ字型にし、図４の（ｅ）のように、水平方向に、突起部１４のＬ字型の折り曲げ部１７を、治具本体１３のＬ字型の折り曲げ部１７の外側に嵌めこんだものである。
【００２２】
図４の（ｃ）は、治具本体１３の下端部を２度内側に９０度折り曲げてコ字型にし、突起部１４の両端部は２度外側に９０度折り曲げてコ字型にし、図４の（ｅ）のように、水平方向に、突起部１４のコ字型の折り曲げ部１７を、治具本体１３のコ字型の折り曲げ部１７に嵌めこんだものである。
【００２３】
図４の（ｄ）は、治具本体１３の下端部を２度外側に９０度折り曲げてコ字型にし、突起部１４の両端部は２度内側に９０度折り曲げてコ字型にし、図４の（ｅ）のように、水平方向に、突起部１４のコ字型の折り曲げ部１７を、治具本体１３のコ字型の折り曲げ部１７に嵌めこんだものである。
【００２４】
図４の構造において、いずれの場合も、突起部１４は、治具本体１３から下に外れることはなく、突起部１４が治具本体１３に対して前後（図面の紙面に対して垂直）方向にスライド可能になっている。
【００２５】
図示しないが、突起部１４が治具本体１３から水平方向に抜けおちないようにするために、突起部１４の折り曲げ部１７に凸部を設け、治具本体１３の折り曲げ部１７に凹部を設け、凹凸の噛み合う位置を超えて突起部１４がスライドできないようにすればよい。
【００２６】
突起部１４のスライドは、手で行う。人間が突起部１４に突起部１４と治具本体１３との嵌め込み摩擦以上の力を与えることにより、突起部１４がスライドする。人間が力を取り去ると、突起部１４と治具本体１３との嵌め込み摩擦により突起部１４がその位置を保ち続ける。
なお、図示しないが、突起部１４が治具本体１３に対して常に前進するように、突起部１４をバネで嵌め込み摩擦以上の力でランプ方向に加勢しておいてもよい。
【００２７】
図５は、実施の形態１の治具本体１３の取付手順を示す図である。
まず、前提として、照明器具１０は、天井に設置されており、ランプソケット１２は、予め、照明器具１０に固定されているものとする。また、反射板１１は、照明器具１０に対して、ネジ等により、着脱自在に取り付けられるものとし、反射板１１は、外されているものとする。
【００２８】
Ｓ１１：
保持治具５０の突起部１４を後退スライドさせた状態で、反射板１１の切欠き３１に保持治具５０を嵌め込む。具体的には、反射板１１の裏面から表面に向かって、反射板１１の切欠き３１に突起部１４と治具本体１３とを挿入する。保持治具５０のひっかけ爪１５が切欠き３１の両サイドの縁部３２でひっかかり保持治具５０が反射板１１に固定される。
【００２９】
Ｓ１２：
保持治具５０が嵌め込まれた反射板１１を照明器具１０に取り付ける。このとき、ランプソケット１２は、反射板１１の裏面から表面に向かって、反射板１１の切欠き３１に挿入される。その結果、ランプソケット１２の周囲全体には、保持治具５０が存在することになる。
【００３０】
Ｓ１３：
突起部１４を後退スライドさせた状態で、ランプソケット１２にランプ２０を取り付ける。
【００３１】
Ｓ１４：
ランプ２０を取り付けた後、保持治具５０の突起部１４を前進スライドさせる。
【００３２】
図６は、実施の形態１のランプ２０の交換手順を示す図である。
【００３３】
Ｓ２１：
保持治具５０の突起部１４を後退スライドさせる。
【００３４】
Ｓ２２：
突起部１４を後退スライドさせた状態で、ランプ２０をランプソケット１２からはずす。
【００３５】
Ｓ２３：
突起部１４を後退スライドさせた状態で、ランプソケット１２に新たなランプ２０を取り付ける。
【００３６】
Ｓ２４：
ランプ２０を取り付けた後、保持治具５０の突起部１４を前進スライドさせる。
【００３７】
（実施の形態１の効果）
実施の形態１によれば、ランプソケット１２とランプ２０２０の両方の落下を防止できる。
また、突起部１４を前後にスライドさせることにより、ランプ２０の交換が容易にできる。
さらに、既存の照明器具１０に対してなんらの加工や変更をすることなく、保持治具５０を使用することができる。
また、保持治具５０が板金なので、保持治具５０が丈夫で長持ちする。
【００３８】
実施の形態２．
実施の形態２について、主に実施の形態１との差異を説明する。
実施の形態１と共通する部分については、同一の符号を付し、説明を省略する。
【００３９】
実施の形態２においては、図７、図８に示すように、治具本体１３が、完全なＵ字型をしており、突起部１４が、治具本体１３に対して外付けされている。
あるいは、実施の形態２においては、図９、図１０に示すように、治具本体１３が、完全なＵ字型をしており、突起部１４が、治具本体１３に対して内付けされている。
実施の形態２の突起部１４は、治具本体１３の下部の外曲面又は内曲面に設けられ、外曲面又は内曲面に沿ってスライドする曲面板である。
【００４０】
図１１は、治具本体１３と突起部１４とのスライド構造図である。
図１１の（ａ）は、外付けの組立図である。
図１１の（ｂ）は、外付け組み立て後のＡＡ断面図である。
図１１の（ａ）、（ｂ）は、Ｕ字型の治具本体１３の側面にスリットを設け、突起部１４の両端部は内側に２度９０度折り曲げてコ字型にし、治具本体１３の弾力を利用して治具本体１３を外側にたわませて、突起部１４のコ字型の折り曲げ部１７を、治具本体１３のスリットに外側から嵌めこんだものである。突起部１４のコ字型の折り曲げ部１７は、Ｌ字型の折り曲げ部１７であってもよい。
【００４１】
図１１の（ｃ）は、内付けの組立図である。
図１１の（ｄ）は、内付け組み立て後のＢＢ断面図である。
図１１の（ｃ）、（ｄ）は、治具本体１３の側面にスリットを設け、突起部１４の両端部は外側に９０度折り曲げてＬ字型にし、治具本体１３の弾力を利用して治具本体１３を内側にたわませて、突起部１４のＬ字型の折り曲げ部１７を、治具本体１３のスリットに内側から嵌めこんだものである。突起部１４のＬ字型の折り曲げ部１７は、コ字型の折り曲げ部１７であってもよい。
【００４２】
実施の形態３．
実施の形態３について、主に実施の形態１との差異を説明する。
図１２に示すように、保持治具５０のひっかけ爪１５のサイド方向の長さＷ６を、隙間３０の幅Ｗ１よりも小さくする。
ひっかけ爪１５の長さＷ６＜隙間３０の幅Ｗ１
こうすることにより、反射板１１を照明器具１０に取り付けたまま、保持治具５０を取り付けることができる。
すなわち、保持治具５０の左右から中央に向かって、図１２の破線矢印方向に、手で圧力をかけ、ひっかけ爪１５を隙間３０に下から上に挿入して、ひっかけ爪１５を縁部３２にひっかけて、保持治具５０を反射板１１に取り付けることができる。図１２の破線矢印方向の圧力を取り去れば、保持治具５０は弾力によりＵ字型に復帰するので、ひっかけ爪１５が縁部３２から外れることがない。
実施の形態３の保持治具５０は、既存の照明器具に着脱自在に取り付けることができるという効果がある。
【００４３】
実施の形態４．
実施の形態４について、主に実施の形態１との差異を説明する。
図１３に示すように、保持治具５０を、反射板１１ではなく、照明器具１０に固定してもよい。その場合は、まず、ランプソケット１２を覆うように、保持治具５０を照明器具１０に固定する。すなわち、図１３に示すように、ひっかけ爪１５の上面を照明器具１０の筺体の下面に接触させてネジ３３でネジ止めすることにより、保持治具５０を照明器具１０に固定する。
その後、反射板１１の切欠き３１にランプソケット１２と保持治具５０とを挿入して、反射板１１を照明器具１０に固定すればよい。
実施の形態４によれば、万が一、ネジ３３が外れても、ひっかけ爪１５が縁部３２に引っかかるので、保持治具５０が反射板１１から脱落することがない。
【００４４】
実施の形態５．
実施の形態５について、主に実施の形態１との差異を説明する。
図１４に示すように、治具本体１３の側面形状において下方が小さくなるようにする。治具本体１３のランプ側の前辺３４は実施の形態１と同じで垂直線であるが、治具本体１３の背面側の後辺３５は、上から下に向かってランプ側に近づくように傾斜しており、反射板１１から突起部１４に向かって幅が狭くなっている。
治具本体１３の側面形状において下端の幅をＷ７とすると、以下の関係にある。
治具本体１３の上端側面幅Ｗ３＞治具本体１３の下端側面幅Ｗ７
突起部１４の側面幅Ｗ３＞治具本体１３の下端側面幅Ｗ７
移動距離＝スライド間隔Ｗ４−突起部１４の側面幅Ｗ３
＝突起部１４の側面幅Ｗ３−治具本体１３の下端側面幅Ｗ７
【００４５】
実施の形態６．
実施の形態６について、主に実施の形態１との差異を説明する。
図１５に示すように、治具本体１３の背面に背面板１９を設ける。
背面板１９は、図１５に示すように、治具本体１３の背面の上部一部を覆うものでもよい。あるいは、背面板１９は、治具本体１３の背面の下部一部を覆うものでもよいし、治具本体１３の背面全体を覆うものでもよい。
また、ランプの取り付けの妨げにならない範囲で、治具本体１３の前面上部に前面板を設けてもよい。
実施の形態５によれば、治具本体１３の強度が増すと共に、治具本体１３の後方又は前方にランプソケット１２が抜け落ちることがない。
【００４６】
実施の形態７．
実施の形態７について、主に実施の形態１との差異を説明する。
図１６に示すように、ランプソケット１２の下端とランプの下端とを一致（ほぼ一致）させる。
さらに、突起部１４を波形板にする。突起部１４が波形板又は波バネ板なので、伸縮することができる。突起部１４は、組立時にランプソケット１２の下端が押し付けられ下方に伸びた状態になるが、図１６の矢印に示すように、突起部１３の形状復元力あるいはバネ力により、ランプソケット１２の下端とランプの下端とを常時上方向に押し付ける。
実施の形態７によれば、突起部１４がランプソケット１２の照明器具への固定を補助することができる。また、突起部１４とランプソケット１２とが常時接触しているので、ランプソケット１２から突起部１４へ放熱することができる。
【００４７】
実施の形態８．
上記実施の形態１〜７を組み合わせてもかまわない。
【符号の説明】
【００４８】
１０  照明器具、１１  反射板、１２  ランプソケット、１３  治具本体、１４  突起部、１５  ひっかけ爪、１６  後部面、１７  折り曲げ部、１８  スリット、１９  背面板、２０  ランプ、２１  口金、２２  ランプ管、３０  隙間、３１  切欠き、３２  縁部、３３  ネジ、３４  前辺、３５  後辺、５０  保持治具。
【図１】
2014157754.tif 000003
【図２】
2014157754.tif 000004
【図３】
2014157754.tif 000005
【図４】
2014157754.tif 000006
【図５】
2014157754.tif 000007
【図６】
2014157754.tif 000008
【図７】
2014157754.tif 000009
【図８】
2014157754.tif 000010
【図９】
2014157754.tif 000011
【図１０】
2014157754.tif 000012
【図１１】
2014157754.tif 000013
【図１２】
2014157754.tif 000014
【図１３】
2014157754.tif 000015
【図１４】
2014157754.tif 000016
【図１５】
2014157754.tif 000017
【図１６】
2014157754.tif 000018